(57)【要約】【課題】盗難自転車を迅速且つ容易に発見することが可能な自転車の管理システムおよび駐輪自転車管理装置を提供する。【解決手段】登録データが記録されたＩＣチップを内蔵する登録証が自転車に貼り付けられ、登録データはターミナルに読み取られ、ターミナルは登録データを読み取る際に、ＧＰＳにより位置情報を取得する。駐輪情報はターミナルから端末に転送され、端末は駐輪情報をネットワークを介して駐輪自転車管理装置に送信する。駐輪自転車管理装置は駐輪情報を受信すると、登録データに対応付けて位置情報を蓄積し、その際に、位置情報に基づいて盗難自転車および放置自転車の確認処理を実施する。【選択図】図１
2005352867.tif 000002
【特許請求の範囲】
【請求項１】
自転車の登録情報を記録したＩＣを内蔵し、前記自転車に取り付けられる登録証と、
前記ＩＣに記録された登録情報を読み出すとともに前記自転車の位置情報をＧＰＳにより取得する登録情報読出し装置と、
前記登録情報読出し装置から前記登録情報と前記位置情報とを受け付け、該受け付けた登録情報と位置情報とをネットワークに接続する駐輪自転車管理装置に送信し、前記駐輪自転車管理装置を管理する端末と、
前記登録情報に対応付けて前記位置情報を蓄積する蓄積手段と、前記端末から送信された登録情報と位置情報とを受信する受信手段と、前記蓄積手段に前記受信手段で受信した位置情報を蓄積する際に該位置情報に基づいて紛失自転車を確認する紛失自転車確認手段と、前記紛失自転車確認手段により前記紛失自転車を確認した場合に前記確認の通知を前記端末に出力する出力手段とを具備する駐輪自転車管理装置と
を具備することを特徴とする自転車の管理システム。
【請求項２】
前記蓄積手段は、
前記端末により指定される前記自転車の紛失を表す紛失情報を蓄積し、
前記紛失自転車発見手段は、
前記位置情報を蓄積する際に、前記紛失情報の有無に基づいて紛失自転車を確認する
ことを特徴とする請求項１記載の自転車の管理システム。
【請求項３】
前記登録情報は、
前記自転車の所有者の住所を含み、
前記紛失自転車確認手段は、
前記位置情報を蓄積する際に、該位置情報と前記住所との比較に基づいて盗難自転車を確認し、
前記出力手段は、
前記位置情報と前記住所との距離が所定距離離間している場合、前記盗難自転車の確認の通知を前記端末に出力する
ことを特徴とする請求項１記載の自転車の管理システム。
【請求項４】
前記紛失自転車確認手段は、
前記位置情報を蓄積する際に、該位置情報の更新履歴に基づいて放置自転車を確認し、
前記出力手段は、
前記位置情報が長期間に渡って同一の場所である場合、前記放置自転車の確認の通知を前記端末に出力する
ことを特徴とする請求項１記載の自転車の管理システム。
【請求項５】
登録情報読出し装置が取得した自転車に取り付けられる登録証に内蔵されたＩＣに記憶された該自転車の登録情報とＧＰＳによる位置情報とを受け付ける端末とネットワークを介して接続する駐輪自転車管理装置において、
前記端末から送信された登録情報と位置情報とを受信する受信手段と、
前記登録情報に対応付けて前記位置情報を蓄積する蓄積手段と、
前記蓄積手段に前記受信手段で受信した位置情報を蓄積する際に該位置情報に基づいて紛失自転車を確認する紛失自転車確認手段と、
前記紛失自転車確認手段により前記紛失自転車を確認した場合に前記確認の通知を前記端末に出力する出力手段と
を具備することを特徴とする駐輪自転車管理装置。
【請求項６】
前記蓄積手段は、
前記端末により指定される前記自転車の紛失を表す紛失情報を蓄積し、
前記紛失自転車発見手段は、
前記位置情報を蓄積する際に、前記紛失情報の有無に基づいて紛失自転車を確認する
ことを特徴とする請求項５記載の駐輪自転車管理装置。
【請求項７】
前記登録情報は、
前記自転車の所有者の住所を含み、
前記紛失自転車確認手段は、
前記位置情報を蓄積する際に、該位置情報と前記住所との比較に基づいて盗難自転車を確認し、
前記出力手段は、
前記位置情報と前記住所との距離が所定距離離間している場合、前記盗難自転車の確認の通知を前記端末に出力する
ことを特徴とする請求項５記載の駐輪自転車管理装置。
【請求項８】
前記紛失自転車確認手段は、
前記位置情報を蓄積する際に、該位置情報の更新履歴に基づいて放置自転車を確認し、
前記出力手段は、
前記位置情報が長期間に渡って同一の場所である場合、前記放置自転車の確認の通知を前記端末に出力する
ことを特徴とする請求項５記載の駐輪自転車管理装置。
【発明の詳細な説明】
【技術分野】
【０００１】
本発明は、自転車の管理システムおよび駐輪自転車管理装置に関し、特に、自転車の管理システムおよび駐輪自転車管理装置に関する。
【背景技術】
【０００２】
近年、自動車の駐車スペースの不足等の理由により自転車を利用するユーザーが増えてきている。このような自転車の利用促進は、自動車の駐車スペースの不足等の問題の対策として有効であるとともに、自動車が排出する排気ガスによる大気汚染を低減するという環境問題も対しても有効である。
【０００３】
ただし、自転車の利用促進のためには自転車の駐輪スペースを確保する必要があり、駐輪スペースが十分に確保されていないと自転車が不適切な場所に駐輪されたり、そのまま不法に放置、廃棄されるという弊害が生じる。この放置自転車の問題は近年取りざたされており、特に駅近辺や繁華街に放置される自転車は大きな社会問題になってきている。
【０００４】
例えば、自転車の違法駐輪を能率的且つ効果的に取り締まる警察用違法駐輪管理システムがある（例えば、特許文献１参照。）。
【特許文献１】特開２００４−５４５５４号公報
【発明の開示】
【発明が解決しようとする課題】
【０００５】
しかし、放置自転車にも、不法に放置、廃棄された場合と、盗難された上に乗り捨てられた場合とがあり、特許文献１に記載の技術では、放置された自転車が放置自転車であるか盗難自転車であるかを判断することは困難である。その上、盗難自転車は迅速に所有者の元に返すことが望ましいため、迅速な盗難自転車の発見が求められている。
【０００６】
そこで、本発明は、盗難自転車を迅速且つ容易に発見することが可能な自転車の管理システムおよび駐輪自転車管理装置を提供することを目的とする。
【課題を解決するための手段】
【０００７】
上記目的を達成するため、請求項１の発明は、自転車の登録情報を記録したＩＣを内蔵し、前記自転車に取り付けられる登録証と、前記ＩＣに記録された登録情報を読み出すとともに前記自転車の位置情報をＧＰＳにより取得する登録情報読出し装置と、前記登録情報読出し装置から前記登録情報と前記位置情報とを受け付け、該受け付けた登録情報と位置情報とをネットワークに接続する駐輪自転車管理装置に送信し、前記駐輪自転車管理装置を管理する端末と、前記登録情報に対応付けて前記位置情報を蓄積する蓄積手段と、前記端末から送信された登録情報と位置情報とを受信する受信手段と、前記蓄積手段に前記受信手段で受信した位置情報を蓄積する際に該位置情報に基づいて紛失自転車を確認する紛失自転車確認手段と、前記紛失自転車確認手段により前記紛失自転車を確認した場合に前記確認の通知を前記端末に出力する出力手段とを具備する駐輪自転車管理装置とを具備することを特徴とする。
【０００８】
また、請求項２の発明は、請求項１の発明において、前記蓄積手段は、前記端末により指定される前記自転車の紛失を表す紛失情報を蓄積し、前記紛失自転車発見手段は、前記位置情報を蓄積する際に、前記紛失情報の有無に基づいて紛失自転車を確認することを特徴とする。
【０００９】
また、請求項３の発明は、請求項１の発明において、前記登録情報は、前記自転車の所有者の住所を含み、前記紛失自転車確認手段は、前記位置情報を蓄積する際に、該位置情報と前記住所との比較に基づいて盗難自転車を確認し、前記出力手段は、前記位置情報と前記住所との距離が所定距離離間している場合、前記盗難自転車の確認の通知を前記端末に出力することを特徴とする。
【００１０】
また、請求項４の発明は、請求項１の発明において、前記紛失自転車確認手段は、前記位置情報を蓄積する際に、該位置情報の更新履歴に基づいて放置自転車を確認し、前記出力手段は、前記位置情報が長期間に渡って同一の場所である場合、前記放置自転車の確認の通知を前記端末に出力することを特徴とする。
【００１１】
また、請求項５の発明は、登録情報読出し装置が取得した自転車に取り付けられる登録証に内蔵されたＩＣに記憶された該自転車の登録情報とＧＰＳによる位置情報とを受け付ける端末とネットワークを介して接続する駐輪自転車管理装置において、前記端末から送信された登録情報と位置情報とを受信する受信手段と、前記登録情報に対応付けて前記位置情報を蓄積する蓄積手段と、前記蓄積手段に前記受信手段で受信した位置情報を蓄積する際に該位置情報に基づいて紛失自転車を確認する紛失自転車確認手段と、前記紛失自転車確認手段により前記紛失自転車を確認した場合に前記確認の通知を前記端末に出力する出力手段とを具備することを特徴とする。
【００１２】
また、請求項６の発明は、請求項５の発明において、前記蓄積手段は、前記端末により指定される前記自転車の紛失を表す紛失情報を蓄積し、前記紛失自転車発見手段は、前記位置情報を蓄積する際に、前記紛失情報の有無に基づいて紛失自転車を確認することを特徴とする。
【００１３】
また、請求項７の発明は、請求項５の発明において、前記登録情報は、前記自転車の所有者の住所を含み、前記紛失自転車確認手段は、前記位置情報を蓄積する際に、該位置情報と前記住所との比較に基づいて盗難自転車を確認し、前記出力手段は、前記位置情報と前記住所との距離が所定距離離間している場合、前記盗難自転車の確認の通知を前記端末に出力することを特徴とする。
【００１４】
また、請求項８の発明は、請求項５の発明において、前記紛失自転車確認手段は、前記位置情報を蓄積する際に、該位置情報の更新履歴に基づいて放置自転車を確認し、前記出力手段は、前記位置情報が長期間に渡って同一の場所である場合、前記放置自転車の確認の通知を前記端末に出力することを特徴とする。
【発明の効果】
【００１５】
本発明によれば、盗難自転車を迅速に発見することが可能になり、更に、放置自転車を的確に確認することが可能になるという効果を奏する。
【発明を実施するための最良の形態】
【００１６】
以下、本発明の実施の形態について添付図面を参照して詳細に説明する。
【００１７】
図１は、本発明に係る自転車の管理システム１の実施の形態について説明する図である。
【００１８】
自転車２にはＩＣチップが内蔵された登録証３が貼り付けられ、ＩＣチップには自転車２の登録データ（例えば、登録番号、所有者の氏名、住所、電話番号等）が記録され、ＩＣチップに記録された登録データはターミナル４により読み取ることができ、駅、店舗、集合住宅、公共機関等に隣接する駐輪場の管理人５（または、駅周辺の駐輪禁止区域、路上、繁華街等に駐輪されている自転車を取り締まる取締員）がターミナル４を所持し、自転車２の登録データをターミナル４により読み取る。
【００１９】
ターミナル４は、ＩＣチップに非接触でＩＣチップに記録されている登録データを読み取る。更に、ターミナル４は、ＧＰＳ（Global Positioning System）６を搭載し、ＩＣチップから登録データを読み取る際に、ＧＰＳ６により位置情報を取得し、登録データおよび位置情報（以後、駐輪情報とする）を保存する。なお、ターミナル４は、一回の読み取り操作で複数の自転車２から登録データを読み取ることができ、読み取った複数の駐輪情報を保存する。
【００２０】
管理人５はターミナル４に保存されている駐輪情報を、駐輪場の管理室等に設置されている端末７に転送する。なお、駐輪情報は端末７に接続する駐輪情報受付部８を介して端末７に転送され、ターミナル４から駐輪情報受付部８への駐輪情報の転送はケーブル等の有線を介する構成でも良いし、赤外線等を用いた無線を介する構成でも良い。
【００２１】
図１に示すように、ネットワーク９には、複数の端末７および駐輪自転車管理装置１０が接続されている。
【００２２】
端末７は、駐輪情報受付部８を介して受け付けた駐輪情報を、端末７に格納されている駐輪情報送信プログラムによりネットワーク９を介して駐輪自転車管理装置１０に送信する処理、ネットワークを介して駐輪自転車管理装置に対してアクセスする処理等を行う。なお、端末７は、駐輪場の管理室に設置される以外に、自転車２を紛失した所有者１１からの紛失届を受け付けるコールセンター１２に設置され、コールセンターの職員１３は所有者１１から紛失届を受け付けると、端末７から駐輪自転車管理装置１０に対してアクセスし、所有者１１の自転車２の駐輪情報を確認し、紛失時からの自転車２の駐輪情報が更新されている（つまり、紛失した自転車の所在が確認）場合には自転車２の所在を所有者１１に伝え、紛失時からの自転車２の駐輪情報が更新されていない（つまり、紛失した自転車の所在が未確認）場合には、自転車２の駐輪情報に紛失届有りの情報を追加し、その後、自転車２の駐輪情報が更新された際には駐輪自転車管理装置１０から端末７（特に、コールセンターの端末）に対して紛失した自転車２の所在が確認された旨が送信され、コールセンターの職員１３は自転車２の所在を所有者１１に伝える。
【００２３】
駐輪自転車管理装置１０は、端末７から受信した駐輪情報を蓄積する処理、駐輪情報に基づいて紛失自転車を発見する処理、紛失自転車を発見した際にはその旨を各端末７に通知する処理を行う。
【００２４】
次に、駐輪自転車管理装置１０について詳細に説明する。
【００２５】
図２は、駐輪自転車管理装置１０の機能的な構成の一例を示すブロック図である。
【００２６】
図２に示すように、駐輪自転車管理装置１０は、Ｉ／Ｆ１４、駐輪情報処理部１５、駐輪情報蓄積部１６、出力制御部１７から構成されている。
【００２７】
Ｉ／Ｆ１４は、ネットワーク９を介した通信制御の処理を行う。
【００２８】
駐輪情報蓄積部１６は、登録情報に対応付けて位置情報を蓄積する。
【００２９】
駐輪情報処理部１５は、駐輪情報蓄積部１６への駐輪情報の更新処理、駐輪情報蓄積部１６から駐輪情報を読み出す処理、および駐輪情報に基づく紛失自転車発見処理を行う。
【００３０】
出力制御部１７は、端末への紛失自転車の発見の通知および駐輪情報蓄積部１６に蓄積されている駐輪情報の出力処理を行う。
【００３１】
次に、自転車の管理システムにおける駐輪情報の更新の処理手順について図３に示すフローチャートを参照して説明する。
【００３２】
ターミナルは、自転車に貼り付けられているＩＣチップ内蔵の登録証から登録データを読み取るとともに、ＧＰＳにより位置情報を取得し（ステップＳ３０１）、駐輪情報を保存し（ステップＳ３０２）、保存した駐輪情報を端末に転送する（ステップＳ３０３）。
【００３３】
端末は、ターミナルから駐輪情報を受信し（ステップＳ３０４）、受信した駐輪情報を駐輪自転車管理装置に送信する（ステップＳ３０５）。
【００３４】
駐輪自転車管理装置は、端末から駐輪情報を受信し（ステップＳ３０６）、受信した駐輪情報に基づいて紛失自転車の発見処理を行い（ステップＳ３０７）、駐輪情報を更新し（ステップＳ３０８）、更新の処理手順を終了する。
【００３５】
次に、駐輪情報について詳細に説明する。
【００３６】
図４は、端末に表示される駐輪情報一覧１８の表示例を示す図である。
【００３７】
図４に示すように、駐輪情報一覧には、登録証に内蔵されたＩＣチップに記録されている登録データ（登録番号、氏名、住所、電話番号）、ターミナルで登録データを読み取った際にＧＰＳから取得した情報（位置情報、更新時間）、紛失届の有無が表示されている。登録データは所有者が変更を申し出ない限り、変更が行われない情報であり、位置情報および更新時間はターミナルで登録データを読み取る毎に変更が行われる情報であり、紛失届の有無はコールセンターの端末からのアクセスにより変更される情報であり、紛失届を受け付けた自転車は紛失届の項目が「有」に変更される。
【００３８】
更に、各駐輪情報に対応する詳細ボタン１９をクリック等すると、図５に示す駐輪情報の詳細を端末に表示することができる。
【００３９】
図５は、端末に表示される駐輪情報詳細画面２０の表示例を示す図である。
【００４０】
図５に示すように、駐輪情報詳細画面２０には、図４に示す駐輪情報一覧に表示されている登録番号、紛失届、氏名、住所、電話番号に加えて登録日が表示され、位置情報および更新時間の更新履歴が表示されている。
【００４１】
例えば、登録番号「００００１」の自転車の所有者「ＡＡ  ＢＢ」が自転車を紛失した場合、所有者「ＡＡ  ＢＢ」はコールセンターに電話をかけ、自転車を紛失した旨を伝えると、コールセンターの職員は端末に登録番号「００００１」の自転車の駐輪情報詳細画面を表示し、最新に更新された位置情報「ＡＡ駅駐輪場のＢ１ブロック」および更新時間「２００４年５月２５日の午前１０時」を所有者「ＡＡ  ＢＢ」に伝える。
【００４２】
ここで、この更新時間が紛失後である場合、所有者「ＡＡ  ＢＢ」はこの位置情報の場所に行けば良い。
【００４３】
しかし、この更新時間が紛失前である場合、自転車の所在が未確認であるため、コールセンターの職員は登録番号「００００１」の自転車の駐輪情報の紛失届の項目を「有」に変更する。そして、登録番号「００００１」の自転車の駐輪情報が更新されると、駐輪自転車管理装置は登録番号「００００１」の自転車が発見された旨をコールセンターの端末に送信し、コールセンターの端末はこの自転車発見の通知を表示すると、コールセンターの職員は所有者「ＡＡ  ＢＢ」に連絡を入れる。
【００４４】
更に、駐輪自転車管理装置が行う盗難自転車発見の処理について詳細に説明する。
【００４５】
具体的には、更新された位置情報と、所有者の住所とを比較し、位置情報と住所との距離が所定距離離間している場合には、自転車が盗難された可能性が有るという警告をコールセンターの端末に送信することで、コールセンターの職員は所有者に対して自転車が盗難された可能性が有るということを知らせる。
【００４６】
駐輪自転車管理装置が行う位置情報と所有者の住所との比較に基づく盗難自転車発見の処理手順について図６に示すフローチャートを参照して説明する。
【００４７】
駐輪情報を受信すると（ステップＳ６０１）、紛失届の有無を確認する（ステップＳ６０２）。
【００４８】
紛失届が無い場合（ステップＳ６０２でＮＯ）、住所と位置情報とを比較する（ステップＳ６０３）。
【００４９】
住所と位置情報とが所定距離離間している場合（ステップＳ６０４でＹＥＳ）、端末に自転車が盗難された可能性有りの旨を通知し（ステップＳ６０５）、ステップＳ６０７に進む。
【００５０】
また、ステップＳ６０２において、紛失届が有る場合（ステップＳ６０２でＹＥＳ）、端末に紛失自転車発見の旨を通知し（ステップＳ６０６）、ステップＳ６０７に進む。
【００５１】
また、ステップＳ６０４において、住所と位置情報とが所定距離離間していない場合（ステップＳ６０４でＮＯ）、ステップＳ６０７に進む。
【００５２】
そして、駐輪情報を更新し（ステップＳ６０７）、盗難自転車発見の処理手順を終了する。
【００５３】
従って、図６に示すフローチャートに示す処理を実施することで、所有者が盗難されたと認識する前に盗難自転車を発見することができ、迅速に盗難自転車を発見することが可能になる。
【００５４】
更に、駐輪自転車管理装置が行う放置自転車発見の処理について詳細に説明する。
【００５５】
具体的には、更新された位置情報が長期間に渡って同一の場所である場合には、自転車が放置された可能性が有るという警告をコールセンターの端末に送信することで、コールセンターの職員は所有者に対して自転車を放置したか否か確認する。
【００５６】
なお、このような放置自転車発見の処理を実施する場合は、ＧＰＳで詳細な位置情報を取得する必要がある。なぜなら、通勤または通学等で駐輪場を使用する所有者にとって、位置情報が長期間に渡って同一の駐輪場であることは自然であるため、位置情報として駐輪場の中の駐輪位置まで獲得する必要があるからである。つまり、図６に示すように、所有者「ＡＡ  ＢＢ」は、同一の駐輪場に自転車をほぼ毎日駐輪しているのだが、駐輪場の中の駐輪位置は日によって変わっているため（図６では、５月２０日がＢ４ブロック、５月２１日がＢ２ブロック、５月２４日がＢ３ブロック、５月２５日がＢ１ブロック）、所有者「ＡＡ  ＢＢ」の自転車は放置自転車とは認識しない。
【００５７】
駐輪自転車管理装置が行う位置情報の更新履歴に基づく放置自転車発見の処理手順について図７に示すフローチャートを参照して説明する。
【００５８】
端末から駐輪情報を受信し、位置情報を蓄積すると（ステップＳ７０１）、同一の位置情報が所定期間蓄積されているか否か確認する（ステップＳ７０２）。
【００５９】
同一の位置情報が所定期間蓄積されている場合（ステップＳ７０３でＹＥＳ）、端末に自転車が放置された可能性有りの旨を通知し（ステップＳ７０４）、放置自転車発見の処理手順を終了する。
【００６０】
また、ステップＳ７０３において、同一の位置情報が所定期間蓄積されていない場合（ステップＳ７０４でＮＯ）、放置自転車発見の処理手順を終了する。
【００６１】
従って、図７に示すフローチャートに示す処理を実施することで、放置された自転車を迅速に発見することが可能になるとともに、放置された盗難自転車を確認することが可能になる。
【００６２】
なお、上記で説明した実施の形態では、ターミナルが読み取った駐輪情報は端末に転送され、端末が駐輪情報を駐輪自転車管理装置に送信する構成を一例としたが、ネットワークに直接アクセスする通信機能を搭載したターミナルが、読み取った駐輪情報を当該通信機能を用いて駐輪自転車管理装置に直接送信する構成でも適用可能である。
【図面の簡単な説明】
【００６３】
【図１】本発明に係る自転車の管理システム１の実施の形態について説明する図である。
【図２】駐輪自転車管理装置１０の機能的な構成の一例を示すブロック図である。
【図３】自転車の管理システムにおける駐輪情報の更新の処理手順を示すフローチャートである。
【図４】端末に表示される駐輪情報一覧１８の表示例を示す図である。
【図５】端末に表示される駐輪情報詳細画面２０の表示例を示す図である。
【図６】駐輪自転車管理装置が行う位置情報と所有者の住所との比較に基づく盗難自転車発見の処理手順を示すフローチャートである。
【図７】駐輪自転車管理装置が行う位置情報の更新履歴に基づく放置自転車発見の処理手順を示すフローチャートである。
【符号の説明】
【００６４】
１    自転車の管理システム
２    自転車
３    ＩＣチップ付き登録証
４    ターミナル
５    管理人
６    ＧＰＳ
７    端末
８    駐輪情報受付部
９    ネットワーク
１０    駐輪自転車管理装置
１１    所有者
１２    コールセンター
１３    コールセンターの職員
１４    Ｉ／Ｆ
１５    駐輪情報処理部
１６    駐輪情報蓄積部
１７    出力制御部
１８    駐輪情報一覧
１９    詳細ボタン
２０    駐輪情報詳細画面
【図１】
2005352867.tif 000003
【図２】
2005352867.tif 000004
【図３】
2005352867.tif 000005
【図４】
2005352867.tif 000006
【図５】
2005352867.tif 000007
【図６】
2005352867.tif 000008
【図７】
2005352867.tif 000009